(57)【要約】【課題】  対象物の表面の塗布しようとする範囲内に塗布することが容易な使い捨てタイプの塗布用シートを提供することを目的とする。【解決手段】  口紅塗布用シート１０では、折り目を形成するためのミシン目ｇ１〜ｇ６が、該ミシン目ｇ１〜ｇ６に沿ってシート２０を折り畳んだときに保持体３０の口紅３８が含浸している部位が尖った形状となるように、シート２０に設けられている。【選択図】  図１
2005089346.tif 000002
【特許請求の範囲】
【請求項１】
使用時に所定の対象物の表面に塗布される材料がシートに保持された塗布用シートであって、
前記シートは、該シートに折り目を形成するための折り指示線を備え、
該折り指示線が、該折り指示線に沿って前記シートを折り畳んだときに前記材料を保持した部位が尖った形状となるように、前記シートに設けられた
塗布用シート。
【請求項２】
前記折り指示線には、前記材料が保持された範囲の略中心を通る２以上の線分が含まれる請求項１に記載の塗布用シート。
【請求項３】
前記尖った形状の部位は、前記折り指示線に沿って前記シートを折り畳んだときに前記材料が保持された部分の相対する二つの端部が互いに近づくことによって形成される請求項１または２に記載の塗布用シート。
【請求項４】
前記折り指示線に沿って前記シートを折り畳んだとき、該シートが前記材料を保持した部位を頂点とする山形となる請求項１ないし３のいずれかに記載の塗布用シート。
【請求項５】
前記材料は、不織布に含浸された状態で、前記シートに保持された請求項１ないし４のいずれかに記載の塗布用シート。
【請求項６】
前記シートが紙で形成された請求項１ないし５のいずれかに記載の塗布用シート。
【請求項７】
前記シートが前記折り指示線としてミシン目を備えた請求項１ないし６のいずれかに記載の塗布用シート。
【請求項８】
前記シートに保持された材料がフィルムで覆われた請求項１ないし７のいずれかに記載の塗布用シート。
【請求項９】
請求項１ないし８のいずれかに記載の塗布用シートを備えた書籍。
【請求項１０】
使用時に所定の対象物の表面に塗布される材料がシートに保持された塗布用シートを製造する方法であって、
前記シートに、折り目を形成するための折り指示線を設ける第１の工程と、
前記シートの折り指示線上に前記材料を保持させる第２の工程と
を備え、
前記第１の工程は、前記折り指示線に沿って前記シートを折り畳んだときに前記材料を保持した部位が尖った形状となるように、前記折り指示線を設ける工程である
塗布用シートの製造方法。
【発明の詳細な説明】
【技術分野】
【０００１】
本発明は、使用時に所定の対象物の表面に塗布される材料がシートに保持された塗布用シートに関するものである。
【背景技術】
【０００２】
使い捨てタイプの塗布用シートとして、従来、カードの片面あるいは両面にリップクリームを塗布したカード型リップクリームが提案されていた（例えば、特許文献１を参照）。このカード型リップクリームは、カードを唇に挟んで前後左右に動かすことにより、唇にリップクリームを塗布するものであった。
【０００３】
【特許文献１】実開平６−３９９２７号公報
【発明の開示】
【発明が解決しようとする課題】
【０００４】
しかしながら、上記した従来のカード型リップクリームでは、上下の唇の合わせ具合で口紅の塗布される範囲が定まるので、塗布範囲の細かな調節が難しかった。また、上下の唇の合わせ具合によって、リップクリームが唇からはみ出て唇以外の領域に塗布されたり、唇への塗り残し部分が生じる、という非所望の事態が生じ易い点で課題があった。
【０００５】
そこで、本発明は、上記の課題を解決し、対象物の表面の塗布しようとする範囲内に塗布することが容易な使い捨てタイプの塗布用シートを提供することを目的として、以下の構成を採った。
【課題を解決するための手段】
【０００６】
本発明の塗布用シートは、
使用時に所定の対象物の表面に塗布される材料がシートに保持された塗布用シートであって、
前記シートは、該シートに折り目を形成するための折り指示線を備え、
該折り指示線が、該折り指示線に沿って前記シートを折り畳んだときに前記材料を保持した部位が尖った形状となるように、前記シートに設けられたことを要旨としている。
【０００７】
使用時には所定の対象物の表面に塗布される材料としては、口紅，リップクリーム，眉墨，アイライン，アイシャドー，ファンデーション，マニキュア等の化粧料や対象物への塗布後の化粧料を消去するための消去材料、塗り薬等の薬剤、糊等の接着材料などを考えることができる。こうした材料は、固形であってもよく、液状であってもよい。上記材料が化粧料やその消去材料，薬剤の場合には、顔の各部や爪，患部等の人体の一部が「所定の対象物」に相当し、上記材料が接着材料の場合には紙等が「所定の対象物」に相当する。
【０００８】
本発明の塗布用シートでは、シートに折り目を形成するための折り指示線が、該折り指示線に沿ってシートを折り畳んだときに材料を保持した部位が尖った形状となるように、シートに設けられている。このため、折り指示線に沿ってシートを折り畳むことにより、材料を保持した部位が尖った形状となる。従って、材料を、対象物の表面の塗布しようとする範囲内に容易に塗布することができる。
【０００９】
折り指示線には、材料が保持された範囲の略中心を通る２以上の線分が含まれることも好適である。こうすれば、シートを折り畳むことによって材料が保持された範囲が２回以上折り重ねられるので、材料を保持した部位を尖った形状とし易くなる。
【００１０】
尖った形状の部位が、折り指示線に沿ってシートを折り畳んだときに材料が保持された部分の相対する二つの端部が互いに近づくことによって形成されることとしてもよい。こうすれば、尖った形状の部位に面が形成される。従って、この面を利用して材料を塗布することが可能となり、材料の塗り易さを向上することができる。
【００１１】
折り指示線に沿ってシートを折り畳んだとき、該シートが材料を保持した部位を頂点とする山形となることも望ましい。こうすれば、材料を塗布する際にシートを把持し易くなる。
【００１２】
前記材料が、不織布に含浸された状態で、前記シートに保持されることも好適である。不織布は多孔質構造を有するので、保持される材料の浸透性を高めることができる。また、シートが紙で形成されることも、使用済みのシートを燃えるゴミとして廃棄することが可能となる点で望ましい。更に、シートが折り指示線としてミシン目を備えることも、シートに折り目を形成し易くなる点で好ましい。更に、シートに保持された材料がフィルムで覆われることも、保持された材料の周囲への付着や乾燥，汚損を防止することが可能となり、塗布用シートの移送や保存が容易となる点で好適である。
【００１３】
また、上記の塗布用シートを備えた書籍として、発明を把握することも可能である。この書籍としては、雑誌や情報誌等の本のほか、ダイレクトメール用のハガキや封筒、宣伝広告用のビラ等を考えることができる。こうすれば、書籍の読者に対して塗布用シートを簡便かつ確実に提供することができる。
【００１４】
本発明の塗布用シートの製造方法は、
使用時に所定の対象物の表面に塗布される材料がシートに保持された塗布用シートを製造する方法であって、
前記シートに、折り目を形成するための折り指示線を設ける第１の工程と、
前記シートの折り指示線を跨ぐ範囲に前記材料を保持させる第２の工程と
を備え、
前記第１の工程は、前記折り指示線に沿って前記シートを折り畳んだときに前記材料を保持した部位が尖った形状となるように、前記折り指示線を設ける工程であることを要旨としている。
【００１５】
本発明の塗布用シートの製造方法によれば、折り目を形成するための折り指示線をシートに設ける第１の工程と、シートの折り指示線を跨ぐ範囲に材料を保持させる第２の工程とを備える。上記第１の工程では、折り指示線に沿ってシートを折り畳んだときに材料を保持した部位が尖った形状となるように、折り指示線を設ける。こうして製造された折り指示線付きの塗布用シートでは、折り指示線に沿ってシートを折り畳むことにより、材料を保持した部位が尖った形状となる。従って、材料を、対象物の表面の塗布しようとする範囲内に満遍無く塗布可能な塗布用シートを製造することができる。
【発明を実施するための最良の形態】
【００１６】
（１）実施例：
以下、本発明の実施の形態を実施例に基づき説明する。図１ないし図２は本実施例の口紅塗布用シート１０の概略構成を示す説明図である。図１（Ａ），図１（Ｂ）は、それぞれ、口紅塗布用シート１０の表面，裏面を表わし、図２は図１に示す口紅塗布用シート１０を２−２線に沿って切断したときの矢視断面形状を表わしている。図２では、理解の便を図るため、口紅塗布用シート１０の各部の厚みを厚くして表わしている。なお、図１ないし図６では、保持体３０に含浸された口紅３８を、斜線ハッチングを用いて表わしている。
【００１７】
口紅塗布用シート１０は、通常の口紅収納容器よりも少量の口紅３８を保持する、いわゆる使い捨てタイプのシートである。本実施例では、１つの口紅塗布用シート１０に保持される口紅３８の量を、唇に２〜３回程度だけ塗れる量とし、口紅３８の残量が少なくなった場合には口紅塗布用シート１０を廃棄することを前提としている。こうした少量の口紅３８が保持された口紅塗布用シート１０は、特に、口紅のメーカーが使用者に提供するサンプル品に適している。また、外出先での化粧直しの必要性を考慮し、公共施設や店舗等のパブリックスペースにおいて提供することも好適である。なお、口紅３８の量は、唇に１回だけ塗れる量としてもよく、また、口紅３８の量を唇に４回以上塗れる量とし、口紅３８の残量が少なくなった場合に口紅塗布用シート１０ごと廃棄する構成としても差し支えない。
【００１８】
図示するように、口紅塗布用シート１０は、その外形が正六角形である紙製のシート２０と、不織布で形成された保持体３０と、保持体３０に含浸された固体化粧料としての口紅３８と、保持体３０を覆うバージンフィルム４０およびフィルム５０とから構成されている。本実施例では、シート２０の厚さよりも厚い保持体３０を用いており、１枚の保持体３０の厚さの値Ｄは１枚のシート２０の厚さの値Ｔよりも大きな値とされている（図２を参照）。
【００１９】
シート２０には、該シート２０に折り目を形成するための折り指示線として、ミシン目ｇ１〜ｇ６が形成されている。ミシン目ｇ１〜ｇ６は、シート２０における向かい合う角の対角線上に形成されており、ミシン目ｇ１とミシン目ｇ４、ミシン目ｇ２とミシン目ｇ５、ミシン目ｇ３とミシン目ｇ６は、それぞれ、同じ対角線上に位置する。以下、ミシン目ｇ１，ｇ４から構成される線分のことを、線分ｇ１−４のように表わす。３つの線分ｇ１−４，ｇ２−５，ｇ３−６は、正六角形のシート２０の重心である中心Ｏで交わっている。
【００２０】
シート２０の中央には、中心Ｏを中心とした円形の開孔２２が形成されている。この開孔２２周囲の裏面２０Ｂには、フィルム５０に覆われた保持体３０が固定されている。保持体３０を覆うフィルム５０は２枚重ねになっており、その一枚のフィルムの中心には、開孔２２とほぼ同じ大きさの孔が設けられている。フィルム５０は、孔のある側をシート２０側にして、開孔２２周囲の裏面２０Ｂに接着固定されている。この結果、保持体３０の一部（中央部）の範囲ＫＲに含浸された口紅３８は、開孔２２越しに表面２０Ａ側に露出した状態で、シート２０に保持される。
【００２１】
保持体３０は、シート２０の表面２０Ａ側からバージンフィルム４０によって覆われており、シート２０の裏面２０Ｂ側からフィルム５０によって覆われている。これにより、保持体３０に含浸された口紅３８の乾燥や汚損，外部への漏出等が防止される。また、バージンフィルム４０の被覆部４２は、開孔２２周囲の表面２０Ａに塗布された接着強度の弱い接着剤によって、表面２０Ａに接着されている。なお、バージンフィルム４０の把持部４４は表面２０Ａに接着されておらず、剥がし易い構造となっている。
【００２２】
図１（Ａ）に示す口紅塗布用シート１０の表面側において、口紅３８は、中心Ｏを中心とした円形の範囲ＫＲに広がった状態とされている。図１（Ａ）では、線分ｇ１−４と交わる範囲ＫＲの周縁部を、端部Ｐ，端部Ｑとして、それぞれ、黒丸，白丸を用いて表わしている。端部Ｐと端部Ｑとは、中心Ｏを境として互いに対向する位置関係にある。
【００２３】
このような口紅塗布用シート１０は以下のような工程を経て製造される。まず、正六角形のシート２０を用意し、このシート２０の上述した対角線上にミシン目ｇ１〜ｇ６を形成すると共に、ミシン目ｇ１〜ｇ６が交差する中心Ｏの周囲に開孔２２を形成する。次に、開孔２２よりもやや大きな面積の不織布を保持体３０として用意し、２〜３回分の使用量の口紅材料を、保持体３０の略中心に、開孔２２よりもやや小さな面積範囲に亘って含浸させる。次に、開孔２２と同じ形状の孔が形成された第１フィルムと、このような孔が形成されていない第２フィルムを用意し、第１フィルムと第２フィルムとの間に、第１フィルムの孔内に口紅材料が含まれるように保持体３０を挟んだ後、この２枚のフィルム同士を熱溶着する。こうして熱溶着されたフィルムが既述したフィルム５０に相当する。次に、保持体３０を包含したフィルム５０を、シート２０の裏面２０Ｂの開孔２２を覆う位置に接着固定する。次に、シート２０の表面２０Ａの保持体３０を覆う位置にバージンフィルム４０を接着する。これにより、図１ないし図２に示したような口紅塗布用シート１０が完成する。なお、上記の工程において、バージンフィルム４０の表面２０Ａへの接着を、フィルム５０の裏面２０Ｂへの接着の前に行なうこととしてもよい。
【００２４】
次に、口紅塗布用シート１０の使用方法について図３ないし図５を参照しつつ説明する。図３（Ａ），図４（Ａ），図５（Ａ）は、口紅塗布用シート１０を図１（Ａ）に示す白抜きの矢印方向から見たときの様子を表わしており、図３（Ｂ），図４（Ｂ），図５（Ｂ）は、口紅塗布用シート１０を図１（Ａ）における正面方向から見たときの様子を表わしている。なお、図３（Ｂ）では、説明の便宜上、バージンフィルム４０の図示を省略している。
【００２５】
口紅塗布用シート１０の使用に際しては、まず、口紅塗布用シート１０を、ミシン目ｇ１，ｇ４に沿って、バージンフィルム４０側（つまり、表面２０Ａ側）が山となるように折り畳む。これにより、線分ｇ１−４上に位置するシート２０、保持体３０およびバージンフィルム４０に折り目が形成され、シート２０は、図３（Ａ），図３（Ｂ）に示すような状態となる。この状態では、ミシン目ｇ５とミシン目ｇ３，ミシン目ｇ２とミシン目ｇ６が、それぞれ重なっている。また、開孔２２内では、値Ｄの厚みを有する保持体３０が折り重なるため、保持体３０の厚みは値Ｄの２倍（以下、値２Ｄという）となる。このように保持体３０の厚みが増すことによって、図３（Ｂ）に示すように、保持体３０に含浸された口紅３８は、折り重ねられたシート２０よりも外側に張り出し、折り重なった状態の保持体３０の厚みである値２Ｄが、開孔２２内の口紅３８の幅の最小値Ｗｍｉｎとなる。
【００２６】
次に、把持部４４を手に取ってバージンフィルム４０を引き剥がし、口紅塗布用シート１０を重なったミシン目ｇ３，ｇ５に沿って折り畳む。これにより、線分ｇ３−５上に位置するシート２０および保持体３０に折り目が形成され、シート２０は、図４（Ａ），図４（Ｂ）に示すような状態となる。この状態では、折り畳まれたシート２０のミシン目ｇ４が、ほぼミシン目ｇ６上に位置している。また、開孔２２内では、折り畳まれたシート２０側の保持体３０（図３（Ａ）において、ミシン目ｇ４を含む線分からミシン目ｇ５を含む線分までの範囲に存在する保持体３０  厚み＝値２Ｄ）が、保持体３０の一部（図３（Ａ）において、ミシン目ｇ５を含む線分からミシン目ｇ６を含む線分までの範囲にある保持体３０  厚み＝値２Ｄ）に折り重なる。このため、範囲ＫＲに含浸された口紅３８の相対する二つの端部Ｐ，端部Ｑが互いに近づき、折り重なった範囲における保持体３０の厚みは値２Ｄの２倍（以下、値４Ｄという）となる。このように保持体３０の厚みがより増すことによって、図４（Ｂ）に示すように、保持体３０に含浸された口紅３８は、折り重ねられたシート２０よりも外側に張り出し、折り重なった状態の保持体３０の厚みである値４Ｄが、開孔２２内の口紅３８の幅の最小値Ｗｍｉｎとなる。
【００２７】
次に、口紅塗布用シート１０を重なったミシン目ｇ２，ｇ６に沿って折り畳む。これにより、線分ｇ２−６上に位置するシート２０および保持体３０に折り目が形成され、シート２０は、図５（Ａ），図５（Ｂ）に示すような状態となる。この状態では、折り畳まれたシート２０のミシン目ｇ１がほぼミシン目ｇ３上に位置しており、シート２０全体の形状が口紅３８を頂点とする山形となっている。また、開孔２２内では、折り畳まれたシート２０側の保持体３０（図４（Ａ）において、ミシン目ｇ１を含む線分からミシン目ｇ６を含む線分までの範囲に存在する保持体３０  厚み＝値２Ｄ）が、上述したミシン目ｇ３，ｇ５に沿った折り畳みによって既に折り重ねられた保持体３０の一部（図４（Ａ）において、ミシン目ｇ４を含む線分からミシン目ｇ３を含む線分までの範囲にある保持体３０  厚み＝値４Ｄ）に折り重なる。この折り重なる過程において、範囲ＫＲに含浸された口紅３８の端部Ｐは、端部Ｑに更に近づいていった後に端部Ｑを通り越し、ミシン目ｇ４を含む線分からミシン目ｇ３を含む線分までの範囲に存在する口紅３８に当接し、端部Ｑは、ミシン目ｇ２，ｇ６に沿って折り畳まれたシート２０に覆われ、ミシン目ｇ６を含む線分上に存在する口紅３８に当接する。これにより、保持体３０の厚みは値２Ｄの３倍（以下、値６Ｄという）となる。このように保持体３０の厚みが更に増すことによって、図５（Ｂ）に示すように、保持体３０に含浸された口紅３８が、折り重ねられたシート２０よりも外側に張り出し、折り重なった状態の保持体３０の厚みである値６Ｄが、開孔２２内の口紅３８の幅の最小値Ｗｍｉｎとなる。これにより、保持体３０の口紅３８が含浸している部位は、直径が値６Ｄの略球形となり、かつ、その先端が尖った形状となる。このような形状の範囲に含浸された口紅３８を所定の対象物としての唇の表面に接した状態で移動させることにより、唇の表面に口紅３８が塗布され、唇の表面は口紅３８の色に着色される。
【００２８】
以上のように構成された本実施例の口紅塗布用シート１０によれば、少なくとも、以下（イ）〜（チ）に列記したような作用効果を奏する。
【００２９】
（イ）本実施例の口紅塗布用シート１０では、折り目を形成するためのミシン目ｇ１〜ｇ６が、該ミシン目ｇ１〜ｇ６に沿ってシート２０を折り畳んだときに保持体３０の口紅３８が含浸している部位が尖った形状となるように、シート２０に設けられている。このため、ミシン目ｇ１〜ｇ６に沿ってシート２０を折り畳むことにより、保持体３０の口紅３８が含浸している部位は、その先端が尖った形状となる。従って、口紅３８を、唇の表面の塗布しようとする範囲内に容易に塗布することができる。例えば、尖った形状とされた部位を筆のように用い、唇全体に塗布することが可能となる。
【００３０】
（ロ）本実施例の口紅塗布用シート１０では、ミシン目ｇ１〜ｇ６から構成される３つの線分ｇ１−４，ｇ２−５，ｇ３−６が、保持体３０の口紅３８が含浸された範囲ＫＲの略中心である中心Ｏを通っている。このため、ミシン目ｇ１〜ｇ６に沿ってシート２０を折り畳むことにより、口紅３８が含浸された範囲ＫＲが３回以上折り重ねられる。従って、保持体３０の口紅３８が含浸している部位をその先端が尖った形状にし易くなる。
【００３１】
（ハ）本実施例の口紅塗布用シート１０では、ミシン目ｇ１〜ｇ６に沿ってシート２０を折り畳んだとき、保持体３０の範囲ＫＲに含浸された口紅３８の相対する二つの端部Ｐ，端部Ｑが互いに近づくことにより、保持体３０の口紅３８が含浸している部位が略球形となる。従って、球面を唇に押し当てて口紅３８を塗布することが可能となり、口紅３８の塗り易さを向上することができる。
【００３２】
（ニ）本実施例の口紅塗布用シート１０では、ミシン目ｇ１〜ｇ６に沿ってシート２０を折り畳んだとき、シート２０が口紅３８が含浸している部位を頂点とする山形となる。従って、口紅３８を塗布する際にシート２０を把持し易くなる。
【００３３】
（ホ）本実施例の口紅塗布用シート１０では、口紅３８が含浸させる保持体３０を不織布を用いて形成している。不織布は多孔質構造を有するので、口紅３８の浸透性を高めることができる。
【００３４】
（ヘ）本実施例の口紅塗布用シート１０では、シート２０が紙で形成されている。従って、使用済みのシート２０を燃えるゴミとして簡便に廃棄することができる。
【００３５】
（ト）本実施例の口紅塗布用シート１０では、シート２０が折り指示線としてミシン目ｇ１〜ｇ６を備える。従って、シート２０に折り目を形成し易くなる。
【００３６】
（チ）本実施例の口紅塗布用シート１０では、シート２０に保持された口紅３８が、表面２０Ａからバージンフィルム４０で，裏面２０Ｂからフィルム５０で覆われている。従って、口紅３８の周囲への付着や乾燥，汚損を防止することが可能となり、塗布用シート１０の移送や保存が容易となる。
【００３７】
（２）変形例：
以上、本発明の実施の形態を実施例に基づいて説明したが、本発明はこうした実施例に何等限定されるものではなく、本発明の要旨を逸脱しない範囲内において種々なる様態で実施し得ることは勿論である。
【００３８】
例えば、上記実施例では、シート２０の外形を正六角形としたが、正六角形以外の形状（例えば、正六角形以外の多角形や三角形，四角形，略円形）を採っても差し支えない。シート２０の口紅３８以外の箇所に、口紅３８に関する情報を付することも可能である。口紅３８に関する情報としては、品名，品番，価格，色を表わす画像等の口紅３８の種類を特定する情報を考えることができる。また、口紅３８に関する情報を、折り畳み時に視認可能な箇所に付することとすれば、シート２０を用いて口紅３８を塗っている際に口紅３８に関する情報を確認することが可能となり、便利である。また、上記実施例では、シート２０を紙で形成したが、紙以外の折り畳み可能な材料で形成してもよい。例えば、シート２０の全体を、保持体３０と同様の不織布で形成することも可能である。この場合には、上記実施例のようにシート２０と保持体３０とを別体としてもよいし、保持体３０を設けることなく、シート２０に直接に口紅３８を含浸させる構成としてもよい。シート２０に直接に口紅３８を含浸させる構成を採る場合には、シート２０の厚さや固さを領域毎に異ならせること（例えば、口紅３８が含浸される範囲を他の範囲よりも薄くまたは柔らかくする）も好ましい。また、口紅３８が含浸される領域の周囲（上記実施例では、保持体３０の周縁範囲やシート２０における開孔２２の周囲）に、領域外への口紅３８の染み出しを防ぐコーティング加工を施すこともしても良い。
【００３９】
更に、上記実施例では、シート２０に折り指示線としてミシン目ｇ１〜ｇ６を形成したが、ミシン目ｇ１〜ｇ６以外の形態で折り指示線をシート２０に設けることも可能である。例えば、シート２０の表面２０Ａや裏面２０Ｂの折り指示線の範囲にエンボス加工を施す構成や、シート２０の表面２０Ａや裏面２０Ｂに折り指示線を線画で描く構成、シート２０の表面２０Ａを領域ごとに色分けして色の境界部分を折り指示線とする構成等、使用者が折る箇所を認識可能な形態で折り指示線が設けられていればよい。上記色分けによる構成の場合には、折り畳んだときに外部に露出する表面２０Ａに同じ色を付することも好ましい。こうすれば、折り畳み方の正誤を使用者が把握し易くなる。
【００４０】
上記実施例では、口紅塗布用シート１０の使用時に、折り畳んだシート２０が該シート２０の６枚分の厚みを有する構成としたが、シート２０の折り畳み回数や折り畳んだ時のシート２０部分全体の厚みは適宜変更することが可能である。シート２０の折り畳み回数が多いほど、または、折り畳んだ時のシート２０部分全体の厚みが厚くなるほど、口紅塗布用シート１０の持ち易さや口紅３８の塗り易さを更に高めることができる。
【００４１】
また、上記実施例では、折り畳み後のシート２０の形状を、尖った形状とされた口紅３８を頂点とする略三角形状としたが、この略三角形状の頂角が小さいほど、口紅塗布用シート１０の持ち易さや口紅３８の塗り易さを更に高めることができる。また、折り畳み後のシート２０の形状を略三角形以外の形状としても差し支えない。折り畳み後のシート２０の形状が、尖った形状とされた口紅３８を頂点とする山形となっていれば、上述した（ニ）と同様の効果を得ることができる。
【００４２】
上記実施例では、シート２０を折り畳むことにより保持体３０の口紅３８が含浸している部位を先の尖った球形状としたが、図６に示した変形例のように、保持体３０の範囲ＫＲに含浸された口紅１３８の相対する二つの端部Ｐ，端部Ｑを互いに近接させ、保持体１３０の口紅１３８が含浸している部位によって周面を形成してもよい。この図６は図５（Ｂ）に対応する面を表わしており、図６では上記実施例と共通の各部につき、符号の十の位以下を上記実施例と同じ数字ないし英字を用いて表わしている。こうすれば、形成された周面を唇に押し当てて口紅１３８を塗布することが可能となり、唇への塗布がし易くなる。また、二つの端部Ｐ，端部Ｑを互いに近接させることなく、保持体３０の口紅３８が含浸している部位を先端が尖った形状とすることも可能である。例えば、範囲ＫＲに含浸された口紅３８を２回以上折り重ねれば、保持体３０の口紅３８が含浸している部位の先端を概ね尖った形状とすることができる。
【００４３】
上記実施例において、バージンフィルム４０の被覆部４２の表面２０Ａへの接着強度については、用途に応じて適宜定めることができる。例えば、バージンフィルム４０の表面２０Ａからの剥離と剥離したバージンフィルム４０の表面２０Ａへの再接着を所定回繰り返した後には、接着剤の接着力が失われて、バージンフィルム４０を表面２０Ａに再び接着することができなくなるように構成しても良い。
【００４４】
上記実施例では、口紅塗布用シート１０をミシン目ｇ１，ｇ４に沿って折り畳んだ後にバージンフィルム４０を引き剥がすこととしたが、バージンフィルム４０を引き剥がすタイミングは、適宜変更することができる。例えば、口紅塗布用シート１０を折り畳む前にバージンフィルム４０を引き剥がすこととしてもよい。また、口紅塗布用シート１０を折り畳んだとき、バージンフィルム４０に形成された折り目に沿ってバージンフィルム４０が破れるように構成してもよい。こうすれば、使用に際して口紅塗布用シート１０からバージンフィルム４０を引き剥がす必要がなくなり、利便性をより高めることができる。
【００４５】
上記実施例では、ミシン目ｇ１，ｇ４から構成される線分ｇ１−４、ミシン目ｇ２，ｇ５から構成される線分ｇ２−５、ミシン目ｇ３，ｇ６から構成される線分ｇ２−６という３つの線分が、口紅３８が含浸された範囲ＫＲの中心Ｏを通るように、シート２０にミシン目ｇ１〜ｇ６を設けたが、こうした線分の数は、３本より多くてもよいし、３本未満であってもよい。また、このような線分は、必ずしも範囲ＫＲの中心Ｏを通っている必要はなく、範囲ＫＲ内を通過するだけでもよい。また、このような線分が範囲ＫＲ内を通過しない場合であっても、保持体３０の口紅３８が保持された部位を尖った形状とすることができる。この場合には、範囲ＫＲにおける口紅３８の中心Ｏが該中心以外の部分よりも表面２０Ａ側に隆起するように、シート２０に折り指示線を設ければよい。また、上記実施例では、保持体３０を不織布で形成したが、不織布以外の折り畳み可能な材料（例えば、布や紙、脱脂綿等）で形成してもよい。
【００４６】
上記実施例では、シート２０に、唇の表面に塗る口紅３８を収納したが、口紅に替えてリップクリームを収納しても差し支えない。また、唇以外の人体に接触される他の材料をシート２０に保持してもよい。こうした材料としては、例えば、眉に塗られる眉墨，まつ毛の際に引かれるアイライン，爪に塗られるマニキュア，瞼に塗られるアイシャドー，顔に塗られるファンデーション等の化粧料や塗布後の化粧料を消去するための消去材料、患部に塗られる塗り薬、糊等の接着材料などを考えることができる。これらのシート２０に保持され得る材料は、固体のみならず、液体であっても差し支えない。例えば、液体としての化粧料やその消去材料，接着材料，薬剤を吸収した脱脂綿を保持体とし、シート２０に装着してもよい。また、これらの各種材料が保持されるシートや保持体を不織布で形成すれば、保持される材料の種類に応じて、シートや保持体の形状，剛性を変えることができる。不織布は、多様な原料や製法の組み合わせによって、布状・レザー状・紙状などさまざまな形状にすることやしなやかなものから強靭なものまで作ることが可能な素材であるからである。
【００４７】
また、上記の塗布用シート１０を書籍に添付しておく構成を採ってもよい。こうした書籍としては、雑誌や情報誌等の本のほか、ダイレクトメール用のハガキや封筒、宣伝広告用のビラ等を考えることができる。こうすれば、書籍の読者に対して塗布用シートを簡便かつ確実に提供することができる。
【図面の簡単な説明】
【００４８】
【図１】本実施例の口紅塗布用シート１０の表面，裏面を示す説明図である。
【図２】図１に示す口紅塗布用シート１０を２−２線に沿って切断したときの矢視断面形状を示す説明図である。
【図３】口紅塗布用シート１０の使用方法を示す説明図である。
【図４】口紅塗布用シート１０の使用方法を示す説明図である。
【図５】口紅塗布用シート１０の使用方法を示す説明図である。
【図６】変形例を示す説明図である。
【符号の説明】
【００４９】
１０...口紅塗布用シート
２０...シート
２０Ａ...表面
２０Ｂ...裏面
２２...開孔
３０...保持体
３８...口紅
４０...バージンフィルム
４２...被覆部
４４...把持部
５０...フィルム
１３０...保持体
１３８...口紅
ｇ１〜ｇ６...ミシン目
Ｐ，Ｑ...端部
【図１】
2005089346.tif 000003
【図２】
2005089346.tif 000004
【図３】
2005089346.tif 000005
【図４】
2005089346.tif 000006
【図５】
2005089346.tif 000007
【図６】
2005089346.tif 000008